(57)【要約】【課題】底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、外箱部が分離されて、商品が収納された状態の内箱部を積み重ねて陳列することができ、最上段よりも下方の包装箱についても商品を外側から視認可能な包装箱を提供する。【解決手段】内箱部Ａ１には上面部１５が形成され、上面部１５により内箱部Ａ１の上面を被覆することにより商品が収納された内箱部を積み重ねて陳列することができる。最上段の内箱部については、広告を表示した切取り片部本体１７ａを背面部４０に装着する。【選択図】図３
0003151355.tif 000002
【実用新案登録請求の範囲】
【請求項１】
包装箱であって、
略方形状の底面部と、底面部の各辺から立設し底面部に対して略直角をなす内側スリーブ状部で、内側正面部と、内側上面部と、差込みフラップ部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部と第１切目線を介して分離可能に形成され、１枚のシート状のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線により形成された片部が該外側側面部の他の部分に対して回動可能に形成され、１枚のシート状のブランクにより形成された外箱部と、
を有し、
内側正面部が、底面部と一対の内側側面部から連設され内側正面部の下端領域を形成する下部正面部と、一対の内側側面部の正面側の端部の上端領域から折れ線を介して連設された上部正面部を有し、
内側上面部が、一対の上部正面部から折れ線を介して連設されるとともに、差込みフラップ部が内側上面部の内側正面部側とは反対側の端部から連設され、包装箱を組み立てる前の状態においては、内側上面部と差込みフラップ部とが上側正面部と同一面を形成するように上方に立設し、
内側上面部が、内側上面部の左右の端部領域を形成し差込みフラップ部と折れ線を介して連設する連設部と、内側上面部における一対の連設部以外の領域により形成され第３切目線を介して分離可能な切取り片部とを有し、
内側背面部は、切取り片部の少なくとも一部を装着する装着手段を有し、
被収納物を内箱部に収納する際には、差込みフラップ部を内側背面部の内側に差し込んで内側上面部により内箱部の上面を被覆した後に外箱部の蓋部を閉状態とし、
被収納物を陳列する際には、外側側面部における分離部が接着された該片部を第２切目線を破断して回動させることにより、第１切目線が破断して分離部が該片部に接着した状態のまま内箱部から分離し、外箱部が内箱部から分離可能となることを特徴とする包装箱。
【請求項２】
外箱部における上記片部を構成する上記第２切目線が略コ字状に形成され、略コ字状を呈する第２切目線の２つの端部が背面側に向いて形成され、該第２切目線の２つの端部における上側の端部から内側側面部の背面上側の角部に伸びる第４切目線と、該第２切目線の２つの端部における下側の端部から内側側面部の背面下側の角部に伸びる第５切目線とが形成され、一対の内側側面部において、第２切目線を破断して片部を回動させるとともに、該片部を外側に引き出して第４切目線と第５切目線とを破断することにより、外箱部が２つに分離されることを特徴とする請求項１に記載の包装箱。
【請求項３】
内側背面部に設けられた装着手段が、内側背面部の上端から形成された一対の互いに平行な切込みに形成されていることを特徴とする請求項１又は２に記載の包装箱。
【請求項４】
内箱部における一対の内側側面部の上辺から折れ線を介して、上面部を支持するためのフラップ部が形成されていることを特徴とする請求項１又は２又は３に記載の包装箱。
【請求項５】
包装箱であって、
略方形状の底面部と、底面部の各辺から立設し底面部に対して略直角をなす内側スリーブ状部で、内側正面部と、内側上面部と、差込みフラップ部と、相対する一対の内側側面部と、一対の内側側面部の上辺から折れ線を介して形成されたフラップ部と、上端から一対の互いに平行な切込みが形成された内側背面部とからなる内側スリーブ状部とを有し、上部が開口した内箱部で、相対する一対の内側側面部において、内側側面部の一部が分離部として内側側面部における分離部以外の部分である内側側面部本体部と第１切目線を介して分離可能に形成され、１枚のシート状のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み略コ字状の第２切目線により形成された片部が該外側側面部の他の部分に対して回動可能に形成され、略コ字状を呈する第２切目線の２つの端部が背面側に向いて形成され、該第２切目線の２つの端部における上側の端部から内側側面部の背面上側の角部に伸びる第４切目線と、該第２切目線の２つの端部における下側の端部から内側側面部の背面下側の角部に伸びる第５切目線とが形成され、１枚のシート状のブランクにより形成された外箱部と、
を有し、
内側正面部が、底面部と一対の内側側面部から連設され内側正面部の下端領域を形成する下部正面部と、一対の内側側面部の正面側の端部の上端領域から折れ線を介して連設された上部正面部を有し、
内側上面部が、一対の上部正面部から折れ線を介して連設されるとともに、差込みフラップ部が内側上面部の内側正面部側とは反対側の端部から連設され、包装箱を組み立てる前の状態においては、内側上面部と差込みフラップ部とが上側正面部と同一面を形成するように上方に立設し、
内側上面部が、内側上面部の左右の端部領域を形成し差込みフラップ部と折れ線を介して連設する連設部と、内側上面部における一対の連設部以外の領域により形成され第３切目線を介して分離可能な切取り片部とを有し、
被収納物を内箱部に収納する際には、差込みフラップ部を内側背面部の内側に差し込んで内側上面部により内箱部の上面を被覆した後に外箱部の蓋部を閉状態とし、
被収納物を陳列する際には、外側側面部における分離部が接着された該片部を該片部を形成する切目線を破断して回動させることにより、分離部と内側側面部本体部間の切目線が破断して分離部が該片部に接着した状態のまま内箱部から分離し、該片部を外側に引き出して第４切目線と第５切目線とを破断することにより、外箱部が２つに分離され、外箱部が内箱部から分離可能となり、
内側背面部の一対の切込みには、切取り片部の少なくとも一部を係止させることを特徴とする包装箱。
【請求項６】
内箱部における上面部の切取り片部の一辺には、第６切目線を介して、該一対の切込み間の長さと略同一の横方向の長さを有する方形状の片部が連設され、切取り片部をを内側背面部に装着する際には、第３切目線を破断して切取り片部を分離し、切取り片部から第６切目線を破断して方形状の片部を取り除き、該方形状の片部が除かれた切取り片部を内側背面部の一対の切込みの位置に差し込むことにより、該方形状の片部が除かれた切取り片部と内側背面部とを互いに係止させることを特徴とする請求項３又は５に記載の包装箱。
【請求項７】
包装箱が、１枚のシート状のブランクにより形成された仕切り部で、垂直方向の第１折れ線を介して連設された一対の板状の仕切り部本体と、各仕切り部本体の該第１折れ線とは反対側の辺部から第２折れ線を介して連設された板状の仕切り部背面部と、一対の仕切り部背面部における一方の仕切り部背面部と仕切り部本体間の第２折れ線から連設された差込み片部で、切込みを介して仕切り部本体と隣接した差込み片部と、他方の仕切り部背面部と仕切り部本体間の第２折れ線に沿って形成され、該差込み片部を差し込むための差込み部と、を有する仕切り部で、該仕切り部本体の上下方向の最大長さが、上面部を閉じた状態の内箱部における底面部と内側上面部間の高さ方向の長さと略同一であり、該仕切り部背面部の高さ方向の長さが、上面部を閉じた状態の内箱部における底面部と内側上面部間の高さ方向の長さ以下であり、一対の仕切り部本体を対向させて、差込み片部を差込み部に差し込むことにより、平面視において略Ｔ字状に形成されることを特徴とする請求項１又は２又は３又は４又は５又は６に記載の包装箱。
【請求項８】
上記切目線が、ミシン目、又は、一部がミシン目状につながった切込みにより構成されていることを特徴とする請求項１又は２又は３又は４又は５又は６又は７に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものとして特許文献１〜７に示す先行技術文献についての出願を行っている。
【先行技術文献】
【特許文献】
【０００３】
【特許文献１】実用新案登録第３１３９９４８号公報
【特許文献２】実用新案登録第３１４７０８３号公報
【特許文献３】実用新案登録第３１４７０８４号公報
【特許文献４】実用新案登録第３１４７０８５号公報
【特許文献５】実用新案登録第３１４７０８６号公報
【特許文献６】実用新案登録第３１４７１７３号公報
【特許文献７】実用新案登録第３１４８５６６号公報
【考案の概要】
【考案が解決しようとする課題】
【０００４】
しかし、上記特許文献１〜７に記載の包装箱においては、外箱部が分離されて、商品が収納された状態の内箱部を積み重ねて陳列することができず、陳列スペースの有効利用を図ることができないという問題があった。すなわち、上記特許文献１〜７の包装箱においては、外箱部が分離されていない状態で外箱部の蓋部を閉じた状態では積み重ねることができるものの、外箱部を取り外してしまうと、内箱部を上下方向に積み重ねることができず、商品が収納された包装箱を積み重ねようとすると、最上段の包装箱については、外箱部を取り外して商品を内箱部に収納された状態で陳列することができるが、最上段よりも下方の包装箱については、外箱部が取り付けられたまま陳列するしかなく、商品を外側から視認可能に陳列することができないという問題があった。
【０００５】
そこで、本考案が解決しようとする問題点は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱であって、外箱部が分離されて、商品が収納された状態の内箱部を積み重ねて陳列することができ、最上段よりも下方の包装箱についても商品を外側から視認可能とすることができる包装箱を提供することである。
【課題を解決するための手段】
【０００６】
本考案は上記問題点を解決するために創作されたものであって、第１には、包装箱であって、略方形状の底面部と、底面部の各辺から立設し底面部に対して略直角をなす内側スリーブ状部で、内側正面部と、内側上面部と、差込みフラップ部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部と第１切目線を介して分離可能に形成され、１枚のシート状のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線により形成された片部が該外側側面部の他の部分に対して回動可能に形成され、１枚のシート状のブランクにより形成された外箱部と、を有し、内側正面部が、底面部と一対の内側側面部から連設され内側正面部の下端領域を形成する下部正面部と、一対の内側側面部の正面側の端部の上端領域から折れ線を介して連設された上部正面部を有し、内側上面部が、一対の上部正面部から折れ線を介して連設されるとともに、差込みフラップ部が内側上面部の内側正面部側とは反対側の端部から連設され、包装箱を組み立てる前の状態においては、内側上面部と差込みフラップ部とが上側正面部と同一面を形成するように上方に立設し、内側上面部が、内側上面部の左右の端部領域を形成し差込みフラップ部と折れ線を介して連設する連設部と、内側上面部における一対の連設部以外の領域により形成され第３切目線を介して分離可能な切取り片部とを有し、内側背面部は、切取り片部の少なくとも一部を装着する装着手段を有し、被収納物を内箱部に収納する際には、差込みフラップ部を内側背面部の内側に差し込んで内側上面部により内箱部の上面を被覆した後に外箱部の蓋部を閉状態とし、被収納物を陳列する際には、外側側面部における分離部が接着された該片部を第２切目線を破断して回動させることにより、第１切目線が破断して分離部が該片部に接着した状態のまま内箱部から分離し、外箱部が内箱部から分離可能となることを特徴とする。
【０００７】
この第１の構成の包装箱においては、包装箱の上方から複数の被収納物（商品）を内箱部内に収納する。その後、内側上面部を内側正面部の上部正面部に対して折り曲げ、差込みフラップ部を内側背面部の内側に差し込むことにより、内箱部の上面を被覆し、さらに、外箱部の蓋部を閉状態にして、接着テープにより蓋部を封止する。つまり、外箱部の外側正面部から上面を経て外側背面部側にまで接着テープを貼り付けることにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における分離部が接着された片部を第２切目線を破断して該外側側面部の他の部分に対して回動させることにより、第１切目線が破断して分離部が片部に接着した状態のまま内箱部から分離させ、外箱部を内箱部から分離することにより、被収納物を収納した状態で、かつ、分離部が分離した状態の内箱部が残るので、被収納物を内箱部に収納した状態で被収納物を陳列する。
【０００８】
内箱部においては、上面部が設けられているので、被収納物を収納した状態の内箱部を複数積み重ねることが可能となる。よって、最上段よりも下方の包装箱についても被収納物を外側から視認可能とすることができる
また、複数の内箱部を積み重ねた場合に、最上段の内箱部においては、第３切目線を破断して内側上面部から切取り片部を分離することにより内箱部の上面が開口されるので、商品を取り出すことができる（又は取り出しやすくすることができる）。また、切取り片部の少なくとも一部を内側背面部の装着手段により内側背面部に装着することにより、切取り片部に被収納物の広告を表示させておくことにより、切取り片部をＰＯＰ広告として使用することができる。
【０００９】
また、第２には、上記第１の構成において、外箱部における上記片部を構成する上記第２切目線が略コ字状に形成され、略コ字状を呈する第２切目線の２つの端部が背面側に向いて形成され、該第２切目線の２つの端部における上側の端部から内側側面部の背面上側の角部に伸びる第４切目線と、該第２切目線の２つの端部における下側の端部から内側側面部の背面下側の角部に伸びる第５切目線とが形成され、一対の内側側面部において、第２切目線を破断して片部を回動させるとともに、該片部を外側に引き出して第４切目線と第５切目線とを破断することにより、外箱部が２つに分離されることを特徴とする。これにより、外箱部を２つに分離させることができるので、内箱部から外箱部を容易に分離させることができる。
【００１０】
また、第３には、上記第１又は第２の構成において、内側背面部に設けられた装着手段が、内側背面部の上端から形成された一対の互いに平行な切込みに形成されていることを特徴とする。この一対の切込みに切取り片部の少なくとも一部を差し込んで、ＰＯＰ広告として使用することができる。
【００１１】
また、第４には、上記第１から第３までのいずれかの構成において、内箱部における一対の内側側面部の上辺から折れ線を介して、上面部を支持するためのフラップ部が形成されていることを特徴とする。よって、上面部がフラップ部により支持されるので、内箱部を複数積み重ねても、上面部が落ち込むことがない。
【００１２】
また、第５には、包装箱であって、略方形状の底面部と、底面部の各辺から立設し底面部に対して略直角をなす内側スリーブ状部で、内側正面部と、内側上面部と、差込みフラップ部と、相対する一対の内側側面部と、一対の内側側面部の上辺から折れ線を介して形成されたフラップ部と、上端から一対の互いに平行な切込みが形成された内側背面部とからなる内側スリーブ状部とを有し、上部が開口した内箱部で、相対する一対の内側側面部において、内側側面部の一部が分離部として内側側面部における分離部以外の部分である内側側面部本体部と第１切目線を介して分離可能に形成され、１枚のシート状のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み略コ字状の第２切目線により形成された片部が該外側側面部の他の部分に対して回動可能に形成され、略コ字状を呈する第２切目線の２つの端部が背面側に向いて形成され、該第２切目線の２つの端部における上側の端部から内側側面部の背面上側の角部に伸びる第４切目線と、該第２切目線の２つの端部における下側の端部から内側側面部の背面下側の角部に伸びる第５切目線とが形成され、１枚のシート状のブランクにより形成された外箱部と、を有し、内側正面部が、底面部と一対の内側側面部から連設され内側正面部の下端領域を形成する下部正面部と、一対の内側側面部の正面側の端部の上端領域から折れ線を介して連設された上部正面部を有し、内側上面部が、一対の上部正面部から折れ線を介して連設されるとともに、差込みフラップ部が内側上面部の内側正面部側とは反対側の端部から連設され、包装箱を組み立てる前の状態においては、内側上面部と差込みフラップ部とが上側正面部と同一面を形成するように上方に立設し、内側上面部が、内側上面部の左右の端部領域を形成し差込みフラップ部と折れ線を介して連設する連設部と、内側上面部における一対の連設部以外の領域により形成され第３切目線を介して分離可能な切取り片部とを有し、被収納物を内箱部に収納する際には、差込みフラップ部を内側背面部の内側に差し込んで内側上面部により内箱部の上面を被覆した後に外箱部の蓋部を閉状態とし、被収納物を陳列する際には、外側側面部における分離部が接着された該片部を該片部を形成する切目線を破断して回動させることにより、分離部と内側側面部本体部間の切目線が破断して分離部が該片部に接着した状態のまま内箱部から分離し、該片部を外側に引き出して第４切目線と第５切目線とを破断することにより、外箱部が２つに分離され、外箱部が内箱部から分離可能となり、内側背面部の一対の切込みには、切取り片部の少なくとも一部を係止させることを特徴とする。
【００１３】
この第５の構成の包装箱においては、包装箱の上方から複数の被収納物（商品）を内箱部内に収納する。その後、内側上面部を内側正面部の上部正面部に対して折り曲げ、差込みフラップ部を内側背面部の内側に差し込むことにより、内箱部の上面を被覆し、さらに、外箱部の蓋部を閉状態にして、接着テープにより蓋部を封止する。つまり、外箱部の外側正面部から上面を経て外側背面部側にまで接着テープを貼り付けることにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における分離部が接着された片部を第２切目線を破断して該外側側面部の他の部分に対して回動させることにより、第１切目線が破断して分離部が片部に接着した状態のまま内箱部から分離させ、外箱部を内箱部から分離することにより、被収納物を収納した状態で、かつ、分離部が分離した状態の内箱部が残るので、被収納物を内箱部に収納した状態で被収納物を陳列する。
【００１４】
内箱部においては、上面部が設けられているので、被収納物を収納した状態の内箱部を複数積み重ねることが可能となる。よって、最上段よりも下方の包装箱についても被収納物を外側から視認可能とすることができる
また、複数の内箱部を積み重ねた場合に、最上段の内箱部においては、第３切目線を破断して内側上面部から切取り片部を分離することにより内箱部の上面が開口されるので、商品を取り出すことができる（又は取り出しやすくすることができる）。また、切取り片部の少なくとも一部を内側背面部の一対の切込みに差し込んで内側背面部に装着することにより、切取り片部に被収納物の広告を表示させておくことにより、切取り片部をＰＯＰ広告として使用することができる。
【００１５】
また、第４切目線と第５切目線により、外箱部を２つに分離させることができるので、内箱部から外箱部を容易に分離させることができる。
【００１６】
また、一対の内側側面部の上辺から折れ線を介してフラップ部が形成されているので、上面部がフラップ部により支持され、内箱部を複数積み重ねても、上面部が落ち込むことがない。
【００１７】
また、第６には、上記第３又は第５の構成において、内箱部における上面部の切取り片部の一辺には、第６切目線を介して、該一対の切込み間の長さと略同一の横方向の長さを有する方形状の片部が連設され、切取り片部をを内側背面部に装着する際には、第３切目線を破断して切取り片部を分離し、切取り片部から第６切目線を破断して方形状の片部を取り除き、該方形状の片部が除かれた切取り片部を内側背面部の一対の切込みの位置に差し込むことにより、該方形状の片部が除かれた切取り片部と内側背面部とを互いに係止させることを特徴とする。
【００１８】
また、第７には、上記第１から第６までのいずれかの構成において、包装箱が、１枚のシート状のブランクにより形成された仕切り部で、垂直方向の第１折れ線を介して連設された一対の板状の仕切り部本体と、各仕切り部本体の該第１折れ線とは反対側の辺部から第２折れ線を介して連設された板状の仕切り部背面部と、一対の仕切り部背面部における一方の仕切り部背面部と仕切り部本体間の第２折れ線から連設された差込み片部で、切込みを介して仕切り部本体と隣接した差込み片部と、他方の仕切り部背面部と仕切り部本体間の第２折れ線に沿って形成され、該差込み片部を差し込むための差込み部と、を有する仕切り部で、該仕切り部本体の上下方向の最大長さが、上面部を閉じた状態の内箱部における底面部と内側上面部間の高さ方向の長さと略同一であり、該仕切り部背面部の高さ方向の長さが、上面部を閉じた状態の内箱部における底面部と内側上面部間の高さ方向の長さ以下であり、一対の仕切り部本体を対向させて、差込み片部を差込み部に差し込むことにより、平面視において略Ｔ字状に形成されることを特徴とする。
【００１９】
よって、仕切り部を内箱部に収納した状態で商品を収納することにより、商品を収納した内箱部を積み重ねても下方の内箱部Ａ１の上面部１５が凹んでしまうことがない。
【００２０】
また、第８には、上記第１から第７までのいずれかの構成において、上記切目線が、ミシン目、又は、一部がミシン目状につながった切込みにより構成されていることを特徴とする。
【考案の効果】
【００２１】
本考案に基づく包装箱によれば、内箱部においては、上面部が設けられているので、被収納物を収納した状態の内箱部を複数積み重ねることが可能となる。よって、最上段よりも下方の包装箱についても被収納物を外側から視認可能とすることができる
また、複数の内箱部を積み重ねた場合に、最上段の内箱部においては、第３切目線を破断して内側上面部から切取り片部を分離することにより内箱部の上面が開口されるので、商品を取り出すことができる（又は取り出しやすくすることができる）。また、切取り片部の少なくとも一部を内側背面部の装着手段により内側背面部に装着することにより、切取り片部に被収納物の広告を表示させておくことにより、切取り片部をＰＯＰ広告として使用することができる。
【図面の簡単な説明】
【００２２】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく包装箱の底面図である。
【図５】内箱部の展開図である。
【図６】図５における要部説明図である。
【図７】外箱部の展開図である。
【図８】包装箱を折り畳んだ状態を示す斜視図である。
【図９】包装箱を折り畳んだ際の内箱部の折り畳み状態を示す斜視図である。
【図１０】包装箱の使用状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】包装箱の使用状態を示す斜視図である。
【図１６】仕切り部の斜視図である。
【図１７】仕切り部の展開図である。
【考案を実施するための形態】
【００２３】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱であって、外箱部が分離されて、商品が収納された状態の内箱部を積み重ねて陳列することができ、最上段よりも下方の包装箱についても商品を外側から視認可能とすることができる包装箱を提供するという目的を以下のようにして実現した。
【００２４】
本考案に基づく包装箱Ａは、図１〜図７等に示すように構成され、図１〜図３等に示すように、内箱部Ａ１と、外箱部Ａ２とを有していて、それぞれが１枚のシート状のブランク（具体的には、段ボール、厚紙等）により形成されている。
【００２５】
内箱部Ａ１は、全体に上部が開口した容器状を呈し、図３、図５等に示すように、スリーブ状部（内側スリーブ状部）５と、底面部５０とを有している。スリーブ状部５は、組立て状態では、底面部５０の周囲から立設して形成され、正面部（内側正面部）１０と、上面部（内側上面部）１５と、差込みフラップ部１９と、側面部（内側側面部）２０と、側面部（内側側面部）３０と、背面部（内側背面部）４０と、糊代部４４とを有していて、その展開状態は、図５に示すように形成されている。
【００２６】
ここで、正面部１０は、下部正面部１１と、上部正面部１３ａ、１３ｂとを有している。ここで、下部正面部１１は、底面部５０における第１片部６０から折れ線を介して連設され、横長の略帯状を呈している。すなわち、下部正面部１１は、横長の長方形状の上端を凹状に形成した形状を呈している。
【００２７】
また、上部正面部１３ａは、側面部３０の正面側の辺部の上端領域から折れ線を介して連設され、略三角形状（側面部３０との境界の辺部と上面部１５との境界の辺部とそれらの辺部に対して傾斜した辺部とを有する直角三角形状）を呈している。また、上部正面部１３ｂは、側面部２０の正面側の辺部の上端領域から折れ線を介して連設され、略三角形状（側面部２０との境界の辺部と上面部１５との境界の辺部とそれらの辺部に対して傾斜した辺部とを有する直角三角形状）を呈している。上部正面部１３ａと上部正面部１３ｂとは線対称に形成されている。
【００２８】
なお、内箱部Ａ１の正面側においては、上記下部正面部１１と上部正面部１３ａ、１３ｂとを除く領域は開口している。
【００２９】
また、上面部１５は、正面部１０における上部正面部１３ａ、１３ｂから折れ線を介して連設され、略長方形状（具体的には、長方形状の正面側に切欠部（円弧状の辺部１５−１と互いに平行な２本の直線状の辺部１５−２、１５−３とに囲まれた切欠部）を設けた略逆凹状）を呈している。この上面部１５は、包装箱Ａを使用しない場合には上方に伸びた状態となっていて、内箱部Ａ１内に商品を収納して包装箱Ａを閉じた状態では、内箱部Ａ１の上面を閉じる上面部として機能する。
【００３０】
この上面部１５は、ミシン目により形成された切目線を介して連設部１６ａ、１６ｂと、切取り片部１７とに区画され、切取り片部１７は、ミシン目により形成された切目線を介して切取り片部本体１７ａと、片部１７ｂとに区画されている。
【００３１】
ここで、連設部１６ａは、上部正面部１３ａの上辺から折れ線を介して連設され、上面部１５の左辺１６ａ−１と、切取り片部１７との間の切目線１６ａ−２、１６ａ−３と、差込みフラップ部１９との間の折れ線とに囲まれた形状を呈している。この切目線１６ａ−２は、上面部１５の左辺１６ａ−１と平行で辺部１５−２の延長線上に直線状に形成され、切目線１６ａ−３は、切目線１６ａ−２の上端から斜め内側に直線状に形成されている。つまり、連設部１６ａは、上面部１５の正面視左側の領域を構成し、縦長の長方形状の側辺の上端から三角形状に突出した形状をなしている。
【００３２】
また、連設部１６ｂは、上部正面部１３ｂの上辺から折れ線を介して連設され、連設部１６ａと線対称に形成されている。すなわち、連設部１６ｂは、上面部１５の右辺１６ｂ−１と、切取り片部１７との間の切目線１６ｂ−２、１６ｂ−３と、差込みフラップ部１９との間の折れ線とに囲まれた形状を呈している。この切目線１６ｂ−２は、上面部１５の右辺１６ｂ−１と平行で辺部１５−３の延長線上に直線状に形成され、切目線１６ｂ−３は、切目線１６ｂ−２の上端から斜め内側に直線状に形成されている。つまり、連設部１６ｂは、上面部１５の正面視右側の領域を構成し、縦長の長方形状の側辺の上端から三角形状に突出した形状をなしている。
【００３３】
また、切取り片部１７は、下辺が円弧状に湾曲した長方形状の上端の角部を斜めに欠切した形状を呈し、円弧状の辺部１５−１と、切目線１６ａ−２、１６ａ−３、１６ｂ−２、１６ｂ−３と、上面部１５と差込みフラップ部１９間の折れ線に沿って（つまり、折れ線に一致して）形成された切目線１７−１により囲まれた形状を呈している。
【００３４】
また、片部１７ｂは、切取り片部１７の上端を切目線により区画することにより長方形状に形成され、切目線１７−１の一部と、切目線１７−１の下側に切目線１７−１に接続して形成された略コ字状の切目線（切目線１７−１と平行な切目線１７ｂ−１と、切目線１７ｂ−１の両端から切目線１７−１と直角に形成された互いに平行な切目線１７ｂ−２、１７ｂ−３とから構成された切目線）により囲まれた長方形状を呈している。
【００３５】
切取り片部１７の周囲の切目線（切目線１６ａ−２と切目線１６ａ−３と切目線１６ｂ−２と切目線１６ｂ−３と切目線１７−１）が第３切目線を構成する。また、切目線１７ｂ−１、１７ｂ−２、１７ｂ−３は、第６切目線を構成する。
【００３６】
なお、切取り片部本体１７ａは、切取り片部１７から片部１７ｂを除いた部分となる。この切取り片部本体１７ａは、商品が収納された内箱部Ａ１を積み重ね状態にした場合に、最上段に位置する内箱部Ａ１においては、背面部４０の上端に差し込むことによりＰＯＰ広告として機能する。
【００３７】
また、差込みフラップ部１９は、上面部１５の直線状の上辺から折れ線を介して連設され、横長の帯状（具体的には、横長の長方形状の両側の先端の角部を円弧状に形成した形状）を呈している。この差込みフラップ部１９の両側は、折れ線を介して連設部１６ａ、１６ｂと連設され、差込みフラップ部１９の中央部分は、折れ線に沿って（つまり、折れ線に一致にして）形成された切目線１７−１を介して切取り片部１７と連設されている。この差込みフラップ部１９は、上面部１５により内箱部Ａ１の上面を被覆する際に、背面部４０の内側に差し込まれるものである。
【００３８】
なお、上面部１５における切目線や、上面部１５と差込みフラップ部１９間の切目線は、一部がミシン目状につながった切込みにより構成してもよい。
【００３９】
また、側面部２０は、正面部１０の正面視における右側の端部（つまり、下部正面部１１と上部正面部１３ｂの右側の端部）から折れ線を介して連設されていて、本体部（内側側面部本体部）２２と分離部２４とを有している。
【００４０】
ここで、本体部２２は、略方形状を呈していて、具体的には、正面側の端部における下部正面部１１と上部正面部１３ｂとの間の領域において、縦長の切欠部が形成された方形状を呈している。
【００４１】
また、分離部２４は、側面部２０における内側の領域に設けられていて、分離部本体部２４ａと突出部２４ｂとを有している。
【００４２】
分離部本体部２４ａは、正面側と上面側と背面側が直線状に形成され、下面側が円弧状に形成されるとともに、背面側の上端に略直角三角形状の切欠部が形成されていて、全体に略方形状の下端に円弧状の切欠部が形成された形状となっている。分離部本体部２４ａの上面側の辺部は水平方向に形成され、正面側と背面側の辺部は垂直方向に形成されている。つまり、分離部本体部２４ａの底面側の辺部はミシン目Ｋ２に沿って形成され、分離部本体部２４ａの背面側と上面側の辺部は切込みＫ４（この切込みＫ４は、垂直方向の切込みＫ４１と、切込みＫ４１の上端から斜めに形成された切込みＫ４２と、切込みＫ４２の上端から水平方向に形成された切込みＫ４３とにより構成されている）に沿って形成されている。
【００４３】
また、突出部２４ｂは、分離部本体部２４ａの正面側の下端位置から折れ線（垂直方向の折れ線）を介して正面側に突出して形成され、略方形状を呈している。つまり、分離部本体部２４ａと突出部２４ｂ間には、垂直方向に折れ線が形成されている。突出部２４ｂの底面側の辺部と正面側の辺部とは切込みＫ６（ミシン目Ｋ２の正面側の端部から連設された水平方向の切込みＫ６１と、切込みＫ６１の正面側の端部から垂直方向に形成された切込みＫ６２）により形成されている。この突出部２４ｂは、後述する外箱部Ａ２の側面部１２０に設けられた開口部１２５の全部又は一部を内側から被覆することができるように開口部１２５の位置に設けられていて、突出部２４ｂは、開口部１２５よりも大きく形成されている。なお、図６に示すように、分離部２４が片部１２２に接着され内箱部Ａ１と外箱部Ａ２とを一体にした状態では、突出部２４ｂの先端は、外箱部Ａ２の切目線１２４ｂよりも正面側とするのが好ましくこれにより、開口部１２５のなるべく広い面積を被覆することができる。
【００４４】
また、分離部２４には、扇状の開口部２５が隣接して形成され、分離部本体部２４ａの正面側の辺部（垂直方向の辺部）と突出部２４ｂの上面側の辺部（水平方向の辺部）と、円弧状の辺部により囲まれた形状を呈している。なお、円弧状の辺部の下端からは、切込みＫ６２が連続して形成され、円弧状の辺部の上端からは切込みＫ４３が連続して形成されている。
【００４５】
なお、分離部２４は、ミシン目（第１切目線）Ｋ２を介して本体部２２と連設され、ミシン目Ｋ２を破断することにより本体部２２から分離可能に形成されている。
【００４６】
なお、本体部２２は、側面部２０における分離部２４及び開口部２５以外の部分であり、本体部２２の形状としては、側面部２０に対して分離部２４と開口部２５の形状の開口部を形成した形状となっている。
【００４７】
この分離部２４の形成位置は、外箱部Ａ２の片部１２２の裏側の領域であり、分離部２４における分離部本体部２４ａは片部１２２の裏側に接着され、片部１２２を外側に回動させることにより、分離部２４も片部１２２の裏側に接着したままミシン目Ｋ２が破断されて、分離部２４が本体部２２から分離するように形成されている。分離部本体部２４ａは、片部本体部１２２ａ（後述）よりも小さく形成されていて、分離部本体部２４ａの外形が片部本体部１２２ａの外形よりもはみだすことがない。なお、分離部本体部２４ａの下端位置が片部本体部１２２ａの下端位置と略一致させることにより、突出部２４ｂが開口部１２５を内側から被覆することができる。なお、分離部２４と本体部２２との境界をなすミシン目Ｋ２は、一部がミシン目状につながった切込みにより形成してもよい。
【００４８】
また、側面部３０は、正面部１０の正面視における左側の端部（つまり、下部正面部１１と上部正面部１３ａの左側の端部）から折れ線を介して連設され、本体部（内側側面部本体部）３２と分離部３４とを有している。
【００４９】
この側面部３０の構成は、側面部２０と前後方向に垂直な仮想的な平面である中心面を介して対称に形成されていて、本体部３２は本体部２２と対称に形成され、分離部３４は分離部２４と対称に形成されていることから詳しい説明を省略するが、分離部３４は、側面部３０における内側の領域に設けられていて、分離部本体部３４ａと突出部３４ｂとを有している。
【００５０】
分離部本体部３４ａは、分離部本体部２４ａと対称に形成され、分離部本体部３４ａの底面側の辺部はミシン目（第１切目線）Ｋ１２に沿って形成され、分離部本体部３４ａの背面側と上面側の辺部は切込みＫ１４（この切込みＫ１４は、切込みＫ４と対象に形成されている）に沿って形成されている。
【００５１】
また、突出部３４ｂは、分離部本体部３４ａの正面側の下端位置から折れ線（垂直方向の折れ線）を介して正面側に突出して形成され、略方形状を呈し、突出部３４ｂの底面側の辺部と正面側の辺部とは切込みＫ１６（この切込みＫ１６は、切込みＫ６と対象に形成されている）により形成されている。この突出部３４ｂは、後述する外箱部Ａ２の側面部１３０に設けられた開口部１３５の全部又は一部を内側から被覆することができるように開口部１３５の位置に設けられていて、突出部３４ｂは、開口部１３５よりも大きく形成されている。
【００５２】
また、分離部３４には、扇状の開口部３５が隣接して形成され、分離部本体部３４ａの正面側の辺部（垂直方向の辺部）と突出部３４ｂの上面側の辺部（水平方向の辺部）と、円弧状の辺部により囲まれた形状を呈している。なお、円弧状の辺部の下端からは、切込みＫ１６の垂直方向部分が連続して形成され、円弧状の辺部の上端からは切込みＫ１４の水平方向部分が連続して形成されている。
【００５３】
なお、分離部３４は、ミシン目Ｋ１２を介して本体部３２と連設され、ミシン目Ｋ１２を破断することにより本体部３２から分離可能に形成されている。
【００５４】
なお、本体部３２は、側面部３０における分離部３４及び開口部３５以外の部分であり、本体部３２の形状としては、側面部３０に対して分離部３４と開口部３５の形状の開口部を形成した形状となっている。
【００５５】
この分離部３４の形成位置は、外箱部Ａ２の片部１３２の裏側の領域であり、分離部３４における分離部本体３４ａは片部１３２の裏側に接着され、片部１３２を外側に回動させることにより、分離部３４も片部１３２の裏側に接着したままミシン目Ｋ１２が破断されて、分離部３４が本体部３２から分離するように形成されている。分離部本体部３４ａは、片部本体部１３２ａ（後述）よりも小さく形成されていて、分離部本体部３４ａの外形が片部本体部１３２ａの外形よりもはみだすことがない。なお、分離部本体部３４ａの下端位置が片部本体部１３２ａの下端位置と略一致させることにより、突出部３４ｂが開口部１３５を内側から被覆することができる。なお、分離部３４と本体部３２との境界をなすミシン目Ｋ１２は、一部がミシン目状につながった切込みにより形成してもよい。なお、分離部２４、３４において、分離部本体部２４ａ、３４ａと突出部２４ｂ、３４ｂ間の折れ線は省略してもよい。
【００５６】
また、側面部２０の上辺からは、略方形状のフラップ部２６が折れ線を介して連設され、側面部３０の上辺からは、略方形状のフラップ部３６が折れ線を介して連設されている。このフラップ部２６、３６は、上面部１５を支持するためのフラップ部である。
【００５７】
また、背面部４０は、側面部３０の左側面視における左端から折れ線を介して連設され、方形状（長方形状）を呈している。この背面部４０の横幅は、正面部の横幅と同一に形成され、背面部４０の縦幅は、側面部２０、３０の縦幅と同一に形成されている。なお、背面部４０の上端には、一対の差込み部４２ａ、４２ｂが間隔を介して形成されている。一対の差込み部４２ａ、４２ｂにおける各差込み部は、背面部４０の上端から形成された略三角形状の切欠部と該切欠部の下端から縦方向に形成された直線状の切込み線とから構成され、２つの切込み線間の間隔は、上面部１５の切取り片部１７における切取り辺部本体１７ａにおける切欠部の左右方向の長さと略同一となっている。差込み部４２ａと差込み部４２ｂ間には、片部４３ａが形成され、片部４３ａの両側に片部４３ｂと片部４３ｃが設けられている。
【００５８】
また、糊代部４４は、背面部４０の背面視における左端から折れ線を介して連設され、縦方向に細長の帯状台形形状を呈している。この糊代部４４は、その外側の面が側面部２０の内側の面に接着されている。
【００５９】
また、底面部５０は、第１片部６０と、第２片部７０と、第３片部８０と、第４片部９０とを有し、包装箱Ａの組立て状態においては、図４に示すように、略方形状を呈している。
【００６０】
ここで、第１片部６０は、正面部１０の下端から折れ線を介して連設され、略長方形状に形成され、第１片部６０の上面の一部が内箱部Ａ１の内底面の一部を形成している。また、第１片部６０の角部（正面部１０と側面部２０の境界位置の角部）からは第１片部６０の正面部１０との境界をなす辺部に対して斜めに所定間隔で切込みが形成された（つまり、折曲しやすいように切込みが形成されている）折れ線６０−１（この折れ線６０−１は、上面側が山折れ線となっている）が形成され、内箱部Ａ１を折り畳む際に、容易に折り畳むことができるようになっている。第１片部６０は、折れ線６０−１を介して本体部６２と先端部６４とに区画される。本体部６２の先端の先端部６４側には、他方の本体部９２と互いに係止するように切欠部６２ａが形成されている。先端部６４の上面は、第２片部７０の下面に接着されている。
【００６１】
また、第２片部７０は、側面部２０の下端から折れ線を介して連設され、先端側にいくほど幅狭となる略台形形状に形成され、その上面の一部が内箱部Ａ１の内底面の一部を形成している。
【００６２】
また、第３片部８０は、側面部３０の下端から折れ線を介して連設され、先端側にいくほど幅狭となる略台形形状に形成され、その上面の一部が内箱部Ａ１の内底面の一部を形成している。この第３片部８０は、底面部５０の組立て状態においては、第２片部７０と点対称に形成されている。
【００６３】
また、第４片部９０は、背面部４０の下端から折れ線を介して連設され、底面部５０の組立て状態においては、第１片部６０と点対称に形成されている。すなわち、第４片部９０は、背面部４０の下端から折れ線を介して連設され、略長方形状に形成され、第４片部９０の上面の一部が内箱部Ａ１の内底面の一部を形成している。また、第４片部９０の角部（背面部４０と側面部３０の境界位置の角部）からは第４片部９０の背面部４０との境界をなす辺部に対して斜めに所定間隔で切込みが形成された（つまり、折曲しやすいように切込みが形成されている）折れ線９０−１（この折れ線９０−１は、上面側が山折れ線となっている）が形成され、内箱部Ａ１を折り畳む際に、容易に折り畳むことができるようになっている。第４片部９０は、折れ線９０−１を介して本体部９２と先端部９４とに区画される。本体部９２の先端の先端部９４側には、他方の本体部６２と互いに係止するように切欠部９２ａが形成されている。先端部９４の上面は、第３片部８０の下面に接着されている。
【００６４】
内箱部Ａ１を箱状に組み立てた状態（ただし、切取り片部１７を破断して組み立てる前の状態）では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部２０との角度を小さくし、背面部４０と側面部３０との角度を小さくさせることにより、図９に示すように、内箱部Ａ１を全体に平板状に折り畳むことができる。また、内箱部Ａ１を折り畳んだ状態では、底面部５０を構成する各部は、スリーブ状部５内に配置され、スリーブ状部５を構成する正面部１０、側面部２０、３０、背面部４０に対して略平行な状態となる。
【００６５】
次に、外箱部Ａ２は、内箱部Ａ１を覆う箱体であり、図１〜図３、図７等に示すように、スリーブ状部（外側スリーブ状部）１０５と、上面部１５０、１７０、１８０、１９０とを有していて、その展開状態は、図７に示すように形成されている。
【００６６】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００６７】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００６８】
また、側面部１２０は、正面部１１０の正面視における右側の端部から折れ線Ｋ１２０を介して連設され、方形状を呈し、片部１２２と、開口部１２５が形成されている。
【００６９】
ここで、片部１２２は、横方向（側面部１２０の下辺と略平行な方向）に形成された直線状の切目線１２４ａと、切目線１２４ａの端部（右側面視における左側の端部）から下側に向けて縦方向（側面部１２０の下辺と略直角な方向）に形成された直線状の切目線１２４ｂと、切目線１２４ｂの下端に連設された開口部１２５における傾斜した辺部１２４ｃと、開口部１２５の背面側の端部から連設され横方向（側面部１２０の下辺と略平行な方向）に形成された直線状の切目線１２４ｄと、切目線１２４ａ及び切目線１２４ｄの切目線１２４ｂ側とは反対側の端部を結ぶ直線状の折れ線１２７により囲まれている。
【００７０】
また、切目線１２４ａの背面側の端部と側面部１２０の背面側の上端の角部間には、切目線１２４ｅが直線状に形成され、切目線１２４ｄの背面側の端部と側面部１２０の背面側の下端の角部間には、切目線１２４ｆが直線状に形成されている。なお、切目線１２４ｅと折れ線１２７と切目線１２４ｆと側面部１２０の背面側の辺部とで囲まれた領域が片部１２３となる。
【００７１】
切目線１２４ａと切目線１２４ｂと切目線１２４ｄと切目線（第４切目線）１２４ｅと切目線（第５切目線）１２４ｆは、一部がミシン目状につながった切込みにより構成されている。なお、切目線１２４ｂを単に切込みにより形成してもよい。また、上記各切目線において、一部がミシン目状につながった切込みの代わりに、単なるミシン目により形成してもよい。切目線１２４ａと切目線１２４ｂと切目線１２４ｄが、第２切目線を構成する。なお、切目線１２４ａと切目線１２４ｂと切目線１２４ｄと切目線１２４ｅと切目線１２４ｆとで第２切目線を構成するようにしてもよい。
【００７２】
また、この片部１２２には、辺部１２４ｃの下端位置から垂直方向に伸びた折れ線１２６が設けられており、片部１２２における折れ線１２６よりも基端側が片部本体部１２２ａとなり、片部１２２における折れ線１２６よりも先端側が片部先端部１２２ｂとなる。
【００７３】
開口部１２５は、直角三角形を呈し、切目線１２４ｂの延長線となる辺部１２５ａと、切目線１２４ｄの延長線となる辺部１２５ｂと、上記辺部１２４ｃとで囲まれて形成されている。この開口部１２５は、指を入れて片部先端部１２２ｂを外側に起こすことができる大きさに形成されている。
【００７４】
ここで、切目線１２４ａと、切目線１２４ｂと、辺部１２５ａと、辺部１２５ｂと、切目線１２４ｄとで、略コ字状に形成されているといえる。
【００７５】
以上のように、側面部１２０には、略コ字状の切目線における一対の端部とは反対側の部分を切目線の代わりに開口部とすることにより片部１２２と開口部１２５が形成されているといえる。
【００７６】
なお、この側面部１２０の横幅は、内箱部Ａ１を外箱部Ａ２内に収納することができるように、側面部２０の横幅よりも若干大きく形成されている。
【００７７】
なお、正面部１１０と側面部１２０の境界位置には、所定間隔で切込みが形成された（つまり、折曲しやすいように切込みが形成されている）直線状の折れ線Ｋ１２０が形成され、また、側面部１２０と正面部１１０の間の位置における下側には、縦長の切欠部Ｋ１２２が形成され、上側には、縦長の切欠部Ｋ１２３が形成されている。
【００７８】
また、側面部１３０は、正面部１１０の正面視における左側の端部から折れ線Ｋ１１２を介して連設され、方形状を呈していて、片部１３２と、開口部１３５が形成されている。
【００７９】
この側面部１３０の構成は、側面部１２０と前後方向に垂直な仮想的な平面である中心面を介して対称に形成されていて、片部１３２は、片部１２２と対称に形成され、開口部１３５は、開口部１２５と対称に形成されている。
【００８０】
すなわち、片部１３２は、横方向（側面部１３０の下辺と略平行な方向）に形成された直線状の切目線１３４ａと、切目線１３４ａの端部（左側面視における右側の端部）から下側に向けて縦方向（側面部１３０の下辺と略直角な方向）に形成された直線状の切目線１３４ｂと、切目線１３４ｂの下端に連設された開口部１３５における傾斜した辺部１３４ｃと、開口部１３５の背面側の端部から連設され横方向（側面部１３０の下辺と略平行な方向）に形成された直線状の切目線１３４ｄと、切目線１３４ａ及び切目線１３４ｄの切目線１３４ｂ側とは反対側の端部を結ぶ直線状の折れ線１３７により囲まれている。
【００８１】
また、切目線１３４ａの背面側の端部と側面部１３０の背面側の上端の角部間には、切目線１３４ｅが直線状に形成され、切目線１３４ｄの背面側の端部と側面部１３０の背面側の下端の角部間には、切目線１３４ｆが直線状に形成されている。なお、切目線１３４ｅと折れ線１３７と切目線１３４ｆと側面部１３０の背面側の辺部とで囲まれた領域が片部１３３となる。
【００８２】
切目線１３４ａと切目線１３４ｂと切目線１３４ｄと切目線（第４切目線）１３４ｅと切目線（第５切目線）１３４ｆは、一部がミシン目状につながった切込みにより構成されている。なお、切目線１３４ｂを単に切込みにより形成してもよい。また、上記各切目線において、一部がミシン目状につながった切込みの代わりに、単なるミシン目により形成してもよい。なお、切目線１３４ａと切目線１３４ｂと切目線１３４ｄが、第２切目線を構成する。なお、切目線１３４ａと切目線１３４ｂと切目線１３４ｄと切目線１３４ｅと切目線１３４ｆとで第２切目線を構成するようにしてもよい。
【００８３】
また、この片部１３２には、辺部１３４ｃの下端位置から垂直方向に伸びた折れ線１３６が設けられており、片部１３２における折れ線１３６よりも基端側が片部本体部１３２ａとなり、片部１３２における折れ線１３６よりも先端側が片部先端部１３２ｂとなる。
【００８４】
開口部１３５は、直角三角形を呈し、切目線１３４ｂの延長線となる辺部１３５ａと、切目線１３４ｄの延長線となる辺部１３５ｂと、上記辺部１３４ｃとで囲まれて形成されている。
【００８５】
ここで、切目線１３４ａと、切目線１３４ｂと、辺部１３５ａと、辺部１３５ｂと、切目線１３４ｄとで、略コ字状に形成されているといえる。
【００８６】
以上のように、側面部１３０には、略コ字状の切目線における一対の端部とは反対側の部分を切目線の代わりに開口部とすることにより片部１３２と開口部１３５が形成されているといえる。
【００８７】
なお、正面部１１０と側面部１３０の境界位置には、所定間隔で切込みが形成された（つまり、折曲しやすいように切込みが形成されている）直線状の折れ線Ｋ１１２が互いに平行に２本形成されている。また、側面部１３０と正面部１１０の間の位置における下側には、縦長の切欠部Ｋ１１４が形成され、上側には、縦長の切欠部Ｋ１１５が形成されている。
【００８８】
また、背面部１４０は、側面部１３０の左側面視における左端から折れ線Ｋ１１６を介して連設され、方形状を呈している。この背面部１４０の横幅は、内箱部Ａ１を外箱部Ａ２内に収納することができるように、背面部４０の横幅よりも若干大きく形成されている。
【００８９】
なお、側面部１３０と背面部１４０の境界位置には、所定間隔で切込みが形成された（つまり、折曲しやすいように切込みが形成されている）直線状の折れ線Ｋ１１６が形成されている。
【００９０】
また、糊代部１４２は、側面部１２０の右側面視における右端から折れ線（所定間隔で切込みが形成された（つまり、折曲しやすいように切込みが形成されている）直線状の２本の互いに平行な折れ線Ｋ１２４）を介して連設され、縦方向に細長の帯状台形形状を呈している。この糊代部１４２は、図２に示すように、その内側の面が背面部１４０の外側の面に接着されている。
【００９１】
また、正面部１１０と側面部１２０、１３０と背面部１４０の縦幅は同一に形成されていて、内箱部Ａ１の縦幅と同一又は若干大きく形成されている。
【００９２】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。また、上面部１８０は、側面部１３０の上端から折れ線を介して連設され、方形状（長方形状）を呈している。また、上面部１９０は、背面部１４０の上端から折れ線を介して連設され、方形状（長方形状）を呈している。外箱部Ａ２の展開状態において、上面部１７０と上面部１６０との間には隙間Ｋ１３８が形成され、上面部１８０と上面部１６０との間には隙間Ｋ１３４が形成され、上面部１９０と上面部１８０との間には隙間Ｋ１３６が形成されている。
【００９３】
これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、蓋部としての上面部１６０〜１９０はスリーブ状部１０５の上端の各辺から連設されているが、少なくとも１つの上面部から連設されていればよい。
【００９４】
なお、正面部１１０と側面部１２０、１３０と背面部１４０は、請求項１における外側側面部を構成する。
【００９５】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００９６】
次に、内箱部Ａ１と外箱部Ａ２とは、分離部２４、３４の箇所で互いに接着されている。つまり、分離部本体部２４ａの外側の面と片部１２２の内側の面とが接着剤その他の接着手段により接着されるとともに、分離部本体部３４ａの外側の面と片部１３２の内側の面とが接着剤その他の接着手段により接着されることにより、包装箱Ａが全体に一体に形成される。つまり、分離部本体部２４ａの外側の面の全部又は一部の領域と片部本体部１２２ａの内側の面の間には接着剤層（図示せず）が設けられていて、同様に、分離部本体部３４ａの外側の面の全部又は一部の領域と片部本体部１３２ａの内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２２を外側に回動させた際に、同時に分離部本体部２４ａの下側のミシン目Ｋ２が破れて、分離部２４が内箱部Ａ１から分離し、回動させた片部１２２に接着した状態で片部１２２に従動するように設定されていて、同様に、外箱部Ａ２の片部１３２を外側に回動させた際に、同時に分離部本体部３４ａの下側のミシン目Ｋ１２が破れて、分離部３４が内箱部Ａ１から分離し、回動させた片部１３２に接着した状態で片部１３２に従動するように設定されている。
【００９７】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０及び開口部１２５、１３５の内側部分以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０及び開口部１２５、１３５の内側部分のみが露出している。
【００９８】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図８に示すように平板状に折り畳むことができる。
【００９９】
上記構成の包装箱Ａの使用状態について説明する。なお、内箱部Ａ１において、上面部１５の切取り片部本体１７ａの正面側の面には、商品の広告が印刷等により表示させておくものとする。包装箱Ａを使用しない状況では、上記のように包装箱Ａは平板状に折り畳むことができるので、折り畳んで保管しておく。
【０１００】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【０１０１】
そして、図１０に示すように、包装箱Ａの上方から複数の被収納物としての商品Ｇを内箱部Ａ１内に収納する。外箱部Ａ２において、上面部１６０〜１９０は予め上方に立設した状態になっていて、外箱部Ａ２の上方が開口した状態になっており、また、内箱部Ａ１において、上面部１５と差込みフラップ部１９は予め上方に立設した状態となっていて、内箱部Ａ１の上方が開口した状態となっているので、商品Ｇはそのまま包装箱Ａの上方から収納すればよい。
【０１０２】
その後、内箱部Ａ１の上面部１５を正面部１０（特に、上部正面部１３ａ、１３ｂ）に対して折り曲げるとともに、差込みフラップ部１９を上面部１５に対して折り曲げて、差込みフラップ部１９を背面部４０の内側に差し込むことにより、内箱部Ａ１の上面を上面部１５により被覆し（図１１参照）、さらに、上面部１６０〜１９０を閉状態にして、接着テープＴを外箱部Ａ２の側面部１２０から上面を経て側面部１３０側にまで接着させることにより、上面部１６０〜１９０を封止する（図１２参照）。
【０１０３】
以上のようにして、商品Ｇを包装箱Ａに包装したら、商品Ｇを収納した包装箱Ａを商品Ｇを陳列する場所に搬送する。
【０１０４】
その後、商品Ｇを陳列する場合には、外箱部Ａ２を内箱部Ａ１から分離する。すなわち、側面部１２０の側においては、開口部１２５の位置に指を入れた後に片部１２２における片部先端部１２２ｂに指を係止させ、片部先端部１２２ｂを外側に引き出す。その際、折れ線１２６が設けられているので、容易に片部先端部１２２ｂを外側に引き出すことができる。その後は、片部先端部１２２ｂをさらに外側に引き出すことにより、片部１２２が折れ線１２７を中心に回動し、さらに、片部１２２を外側に引き出すことにより、切目線１２４ｅと切目線１２４ｆとが破断して、片部１２３が側面部１２０の背面側の辺部を中心に回動して、図１３に示す状態とすることができる。
【０１０５】
同様に、側面部１３０の側においては、開口部１３５の位置に指を入れた後に片部１３２における片部先端部１３２ｂに指を係止させ、片部先端部１３２ｂを外側に引き出す。その際、折れ線１３６が設けられているので、容易に片部先端部１３２ｂを外側に引き出すことができる。その後は、片部先端部１３２ｂをさらに外側に引き出すことにより、片部１３２が折れ線１３７を中心に回動し、さらに、片部１３２を外側に引き出すことにより、切目線１３４ｅと切目線１３４ｆとが破断して、片部１３３が側面部１３０の背面側の辺部を中心に回動する。
【０１０６】
なお、片部１２２、１３２が回動する際の回動軸となる折れ線の箇所には、罫線を形成しておかなくても片部１２２、１３２を回動させることにより自然と折れ線が形成されるが、予め該折れ線の箇所に罫線を形成しておいてもよい。
【０１０７】
すると、外箱部Ａ２の片部１２２を外側に回動させた際に、同時に分離部本体部２４ａの下側のミシン目Ｋ２が破れて、分離部２４が内箱部Ａ１から分離し、回動させた片部１２２に接着した状態で片部１２２に従動する。同様に、外箱部Ａ２の片部１３２を外側に回動させた際に、同時に分離部本体部３４ａの下側のミシン目Ｋ１２が破れて、分離部３４が内箱部Ａ１から分離し、回動させた片部１３２に接着した状態で片部１３２に従動する。なお、突出部２４ｂ、３４ｂと本体部２２、３２とは切込み及び開口部を介して分離しており、分離部本体部２４ａ、３４ａのみが切目線を介して本体部２２、３２と連設されているので、分離部の分離を容易に行なうことができる。
【０１０８】
そして、切目線１２４ａ、１２４ｂ、１２４ｄ、１２４ｅ、１２４ｆを破断し、切目線１３４ａ、１３４ｂ、１３４ｄ、１３４ｅ、１３４ｆを破断することにより、外箱部Ａ２が２つに分離されるので、外箱部Ａ２を内箱部Ａ１から外す。特に、外箱部Ａ２を２つに分離させることができるので、内箱部Ａ１から外箱部Ａ２を容易に分離させることができる。
【０１０９】
すると、図１４に示すように、商品Ｇを収納した状態で、かつ、分離部２４、３４が分離した状態の内箱部Ａ１が残るので、商品Ｇを内箱部Ａ１に収納した状態で商品Ｇを陳列する。なお、切目線１２４ｅ、１３４ｅと切目線１２４ｆ、１３４ｆを破断することなく、切目線１２４ａ〜切目線１２４ｄを破断し片部１２２を回動させ、切目線１３４ａ〜切目線１３４ｄを破断して片部１３２を回動させて、外箱部Ａ２を上方に引き上げるようにして、外箱部Ａ２を内箱部Ａ１から外すようにしてもよい。外箱部Ａ２には、切欠部Ｋ１２２、Ｋ１１４や、切欠部Ｋ１２３、Ｋ１１５が設けられていて、正面部１１０や側面部１２０、１３０の下端や上端が外側と内側間を移動する余裕があるので、外箱部Ａ２を容易に引き上げることができる。
【０１１０】
図１４に示す状態においては、内箱部Ａ１には平板状の上面部１５が設けられているので、図１４の状態の内箱部（すなわち、商品Ｇが収納され、かつ、上面部１５により上面が被覆された内箱部）Ａ１の上に同じく図１４の状態の内箱部を重ねることができる。よって、図１４の状態の内箱部を複数積み重ねることができる。また、フラップ部２６、３６が設けられているので、上面部１５がフラップ部２６、３６により支持されるので、内箱部Ａ１を複数積み重ねても、上面部１５が落ち込むことがない。
【０１１１】
なお、商品Ｇが収納された内箱部Ａ１を複数積み重ねた場合に、最上段にある内箱部Ａ１については、切取り片部１７を上面部１５から切り取って、切取り片部本体１７ａを内箱部Ａ１の背面部４０に装着する。
【０１１２】
すなわち、切取り片部１７と連設部１６ａ、１６ｂ間の切目線及び切取り片部１７と差込みフラップ部１９間の切目線を破断して切取り片部１７を分離させ、その後、切取り片部１７における切取り片部本体１７ａと片部１７ｂとの間の切目線を破断して、切取り片部本体１７ａを片部１７ｂから分離する。
【０１１３】
切取り片部本体１７ａを分離したら、背面部４０の一対の差込み部４２ａ、４２ｂ間の位置に切取り片部本体１７ａの切欠部の部分を差し込むことにより、切取り片部本体１７ａの切欠部形成側の部分と背面部４０における差込み部４２ａ、４２ｂ形成側の部分とを係止させて（好適には、切取り片部本体１７ａの切欠部形成側の両側が背面部４０の片部４３ｂ、４３ｃの背面側となるようにする（ただし、切取り片部本体１７ａの切欠部形成側の両側が背面部４０の片部４３ｂ、４３ｃの正面側となるようにしてもよい））、切取り片部本体１７ａを背面部４０に装着する。装着に当たっては、切取り片部本体１７ａにおける広告が表示された面を正面側に向けて装着し、図１５に示す状態とする。
【０１１４】
これにより、内箱部Ａ１の上面が開口されるので、商品Ｇを取り出すことができ（又は取り出しやすくすることができ）、また、広告が表示された切取り片部本体１７ａが背面部４０に装着されるので、商品を広告することができる。
【０１１５】
なお、図１４の状態の複数の内箱部Ａ１が上下方向に積み重ねられている場合に、最上段に位置する内箱部Ａ１の商品が全て販売されて最上段の内箱部Ａ１が空になった場合には、その空になった内箱部Ａ１を撤去して、撤去された内箱部Ａ１の直下にある内箱部Ａ１については、上記と同様に、図１５に示す状態とする。
【０１１６】
本実施例の包装箱Ａによれば、図１や図２に示すように、上方が開口した包装箱Ａに対して上方から商品（被収納物）を収納して、上面部１６０〜１９０を閉じて１つの接着テープＴにより封止するのみであるので、容易に被収納物の梱包作業を行うことができる。
【０１１７】
また、包装箱Ａによれば、外箱部が分離されて、商品が収納された状態の内箱部を積み重ねて陳列することができ、最上段よりも下方の包装箱についても商品を外側から視認可能とすることができる。
【０１１８】
また、包装箱Ａによれば、商品を収納した内箱部Ａ１を積み重ねた状態において、最上段の内箱部Ａ１については、切取り片部１７を上面部１５から切り取ることにより、収納された商品を取り出すことができるようにし、また、切り取った切取り片部１７における切取り片部本体１７ａを背面部４０に装着することにより、切取り片部本体１７ａをＰＯＰ広告として使用することができる。
【０１１９】
また、本実施例の包装箱Ａによれば、片部１２２、１２３及び片部１３２、１３３を外側に回動させて、分離部２４、３４を内箱部Ａ１から分離して外箱部Ａ２を内箱部Ａ１から分離するのみで陳列することができるので、陳列作業を容易に行なうことができる。特に、本実施例においては、外箱部Ａ２の側面部１２０、１３０に開口部１２５、１３５が形成されているので、回動する片部１２２、１３２を外側に引き出しやすく、容易に片部１２２、１３２を回動させることができ、特に、内箱部に収納されている商品が外箱部の側面部の内側に沿ってぴったり密接して収納されている場合でも容易に片部を外箱部の外側側面部から引き出すことができる。
【０１２０】
また、外箱部Ａ２の側面部１２０、１３０に開口部１２５、１３５が形成されているが、開口部１２５、１３５の全部又は一部を内側から被覆する突出部２４ｂ、３４ｂが設けられているので、開口部１２５、１３５からゴミ等が入るおそれがない。
【０１２１】
また、特に、本実施例の包装箱Ａにおいては、片部１２２、１３２が外箱部Ａ２の側面部１２０、１３０の下端位置よりも上側に設けられ、特に、片部１２２、１３２は、スリーブ状部１０５の下端の縁部に対して垂直方向の回動軸を中心に水平方向に回動するので、商品が収納された収納物を持ち上げて搬送する際に、誤って片部１２２、１３２を回動させてしまうことがない。つまり、仮に、分離部と接着した片部で、回動させるための片部をスリーブ状部１０５の下端から上方に伸びる平行な切込みにより形成した場合には、包装箱Ａを持ち上げる際に該片部の位置を手に持って持ち上げると、誤って該片部を回動させてしまい、内箱部Ａ１と外箱部Ａ２とを分離させてしまうおそれがあるが、本実施例の包装箱Ａの外箱部Ａ２における片部１２２、１３２は上記のように構成されているので、そのようなおそれがない。
【０１２２】
なお、上記の説明において、外箱部Ａ２においては、スリーブ状部１０５を構成する正面部１１０と側面部１２０の境界位置に切欠部Ｋ１２２、Ｋ１２３が設けられ、正面部１１０と側面部１３０の境界位置に切欠部Ｋ１１４、Ｋ１１５が設けられているとして説明したが、切欠部Ｋ１２２と切欠部Ｋ１１４のいずれか一方を開口部（つまり、側面部１２０（１３０）と正面部１１０の下端位置で接続された状態として開口部とする）としてもよく、また、切欠部Ｋ１２３と切欠部Ｋ１１５のいずれか一方を開口部（つまり、側面部１２０（１３０）と正面部１１０の上端位置で接続された状態として開口部とする）としてもよい。
【０１２３】
また、切欠部Ｋ１２２、Ｋ１２３のような切欠部を側面部１２０と背面部１４０の境界位置や側面部１３０と背面部１４０の境界位置に設けるようにしてもよい。
【０１２４】
なお、図１０に示すように、商品Ｇを内箱部Ａ１内に収納するに際して、図１６に示すような仕切り部Ａ３とともに内箱部Ａ１内に収納するようにしてもよい。
【０１２５】
この仕切り部Ａ３は、図１７に示す展開状態に形成され（すなわち、１枚のシート状のブランクにより形成されている）、仕切り部本体２００、２０２と、背面部（仕切り部背面部）２０４、２０６と、差込み片部２１０とを有している。ここで、仕切り部本体２００は、方形状の背面上側の角部を斜めに欠切した形状を呈している。なお、厳密には、仕切り部本体２００の背面部２０４側の端部においては、切込み２１２により窪んだ形状となっている。仕切り部本体２０２は、仕切り部本体２００と折れ線（第１折れ線）２２０を介して連設され、仕切り部本体２００と略対象（略線対称）に形成されている。すなわち、仕切り部本体２０２は、仕切り部本体２００と同様に、方形状の背面上側の角部を斜めに欠切した形状を呈しているが、方形状の背面上側の角部を斜めに欠切した形状の内側に切込み線を形成することにより差込み片部２１０が形成されているので、仕切り部本体２０２の形状は、厳密には、方形状の背面上側の角部を斜めに欠切した形状から差込み片部２１０を除いた形状となる。仕切り部本体２００と仕切り部本体２０２の上下方向の高さは、内箱部Ａ１を組み立てて上面部１５を閉じた状態において、上面部１５と底面部５０間の上下方向の長さと略同様の長さに形成されている。これにより、商品を収納して上面部１５を閉じた状態の内箱部Ａ１を積み重ねても、上面部１５が凹んでしまうことがない。
【０１２６】
また、背面部２０４は、仕切り部本体２００の仕切り部本体２０２とは反対側の辺部から折れ線（第２折れ線）２２２を介して連設され、略方形状を呈している。なお、厳密には、背面部２０４の仕切り部本体２００側の端部においては、切込み２１２により突出した形状となっている。また、背面部２０６は、仕切り部本体２０２の仕切り部本体２００とは反対側の辺部から折れ線（第２折れ線）２２４を介して連設され、略方形状を呈している。
【０１２７】
また、差込み片部２１０は、仕切り部本体２０２と背面部２０６間の折れ線から連設され、縦長の方形状の基端部２１０ａと、基端部２１０ａの折れ線２２４側とは反対側から連設された先端部２１０ｂとを有し、先端部２１０ｂは、略台形形状を呈し、基端部２１０ａと先端部２１０ｂとの境界位置の上側と下側には、溝部２１０−１、２１０−２が形成されている。
【０１２８】
また、仕切り部本体２００の折れ線２２２付近には、差込み片部２１０を差し込むための切込み２１２が形成されている。この切込み２１２は、幅広の凹部に幅狭の凹部を連設した二段の凹状に形成されていて、幅広の凹部の幅α１は、先端部２１０ｂが挿通できる幅（つまり、先端部２１０ｂの上下方向の幅β１よりも大きい幅）に形成され、幅狭の凹部の幅α２は、先端部２１０ｂの上下方向の幅β１よりも小さく形成され、一対の溝部２１０−１、２１０−２間の幅β２よりも大きく形成されている。これにより、先端部２１０ｂが切込み２１２により形成された差込み部（特に、幅狭の凹部の箇所）に係止するようになっている。
【０１２９】
仕切り部Ａ３の組立てに際しては、折れ線２２０を山折りとするとともに、折れ線２２２、２２４を谷折りとして、差込み片部２１０の先端部２１０ｂを切込み２１２に差し込んで、先端部２１０ｂを切込み２１２に係止させる。これにより、仕切り部Ａ３は、図１６に示すように略Ｔ字状に形成され、仕切り部本体２００と仕切り部本体２０２とは、背面側においては、基端部２１０ａの横方向の長さ分だけ広がるので、仕切り部本体２００と仕切り部本体２０２とはテーパ状をなし、仕切り部Ａ３が設けられた内箱部Ａ１の上側に内箱部Ａ１が積み重ねられた場合でも上面部１５を十分支持することができる。
【０１３０】
この仕切り部Ａ３を使用する際には、図１０に示すように、商品Ｇを包装箱Ａの内箱部Ａ１内に収納する際に、商品Ｇとともに内箱部Ａ１内に収納する。つまり、包装箱Ａが図１に示すように組み立てられた状態において、商品Ｇとともに仕切り部Ａ３を収納する。具体的には、仕切り部Ａ３を内箱部Ａ１内に収納した後に商品Ｇを内箱部Ａ１内に収納する。
【０１３１】
以上のように、仕切り部Ａ３を内箱部Ａ１内に収納しておくことにより、商品を収納して上面部１５を閉じた状態の内箱部Ａ１を積み重ねても、上面部１５が凹んでしまうことがない。
【符号の説明】
【０１３２】
Ａ 包装箱
Ａ１ 内箱部
Ａ２ 外箱部
５、１０５ スリーブ状部
１０、１１０ 正面部
１１  下部正面部
１３ａ、１３ｂ  上部正面部
１５  上面部
１６ａ、１６ｂ  連設部
１７  切取り片部
１７ａ  切取り片部本体
１７ｂ  片部
１９  差込みフラップ部
２０、３０、１２０、１３０ 側面部
２２、３２ 本体部
２４、３４ 分離部
２４ａ、３４ａ  分離部本体部
２４ｂ、３４ｂ  突出部
２６、３６  フラップ部
４０、１４０ 背面部
４４、１４２ 糊代部
５０ 底面部
１２２、１３２  片部
１６０、１７０、１８０、１９０ 上面部
【図１】
0003151355.tif 000003
【図２】
0003151355.tif 000004
【図３】
0003151355.tif 000005
【図４】
0003151355.tif 000006
【図５】
0003151355.tif 000007
【図６】
0003151355.tif 000008
【図７】
0003151355.tif 000009
【図８】
0003151355.tif 000010
【図９】
0003151355.tif 000011
【図１０】
0003151355.tif 000012
【図１１】
0003151355.tif 000013
【図１２】
0003151355.tif 000014
【図１３】
0003151355.tif 000015
【図１４】
0003151355.tif 000016
【図１５】
0003151355.tif 000017
【図１６】
0003151355.tif 000018
【図１７】
0003151355.tif 000019